(57)【要約】      （修正有）【課題】連結具の取付け作業を容易にし、保護ブロックの敷設を効率よく行うことができる、地面保護用の保護ブロックを提供する。【解決手段】保護ブロック２は、法面等の地面に敷設されてその地面を保護する盤状のブロックである。この保護ブロック２は、ブロック本体３と、そのブロック本体３と隣接する他の保護ブロック２のブロック本体３とを連結具５によって連結するための被連結部４とを備える。被連結部４は、ブロック本体３の側面３ａから、左右に並んで突出する二本の横延設部４ａ、４ａと、それら横延設部４ａ、４ａから折れ曲がって上向きに延設される二本の縦延設部４ｂ、４ｂと、それら縦延設部４ｂ、４ｂの上端を繋ぐ繋ぎ部４ｃとを有する。そこで、隣接する保護ブロック２、２は、被連結部４、４に通される連結具５によって、被連結部４、４同士が連結され、これによって、保護ブロック２、２が互いに連結される。【選択図】図３
2010174610.tif 000002
【特許請求の範囲】
【請求項１】
保護されるべき地面に敷設されてその地面を保護する盤状の保護ブロックであって、
ブロック本体と、そのブロック本体と隣接する他の保護ブロックのブロック本体とを連結具によって連結するための被連結部とを備え、
前記被連結部は、前記ブロック本体の側面から、左右に並んで突出する二本の横延設部と、それら横延設部から折れ曲がって上向きに延設される二本の縦延設部と、それら縦延設部の上端を繋ぐ繋ぎ部とを有し、その被連結部の内側を前記連結具が挿通可能となる、地面保護用の保護ブロック。
【請求項２】
前記縦延設部は、前記側面から離れる側に傾くようにして、前記ブロック本体の底面に対して斜め上方に延設されている、請求項１に記載の地面保護用の保護ブロック。
【請求項３】
前記ブロック本体は、角部が面取りされた方形形状に形成されて、
前記被連結部は、前記横延設部が前記角部の面取りされた側面から突出するようにして、前記角部の各々に設けられている、請求項１または２に記載の地面保護用の保護ブロック。
【請求項４】
請求項３に記載の保護ブロックが複数、保護されるべき地面に敷設される、地面保護構造であって、
複数の前記保護ブロックは、その方形形状を形成する辺が向かい合うようにして四方に並び、１ヶ所に集まった四つの前記角部において、前記被連結部に通されて取り付けられる連結具によって、前記保護ブロックの各々が連結される、地面保護構造。
【請求項５】
前記連結具は、一対の互いに対向する対向片が一端側で繋がって形成された連結具本体と、その連結具本体の両先端部に架け渡される渡し部材とからなり、
１ヶ所に集まった四つの前記角部において、二対の隣合う被連結部の各々に、前記連結具本体の対向片のそれぞれが通され、前記連結具本体の先端部に前記渡し部材が渡されて、前記連結具が前記被連結部に取り付けられる、請求項４に記載の地面保護構造。
【発明の詳細な説明】
【技術分野】
【０００１】  この発明は、法面等の保護されるべき地面に敷設されてその地面を保護する盤状の保護ブロックおよび地面保護構造に関するものである。
【背景技術】
【０００２】  従来、法面等を保護する盤状の保護ブロックとして、図１２に示される保護ブロック１１があった（例えば、非特許文献１参照）。この保護ブロック１１は、角部１２、１２が面取りされた正方形形状をしており、その角部１２には、側面１３から突出するようにして連結のためのリング状の被連結部１４が設けられていた。そこで、この保護ブロック１１の敷設にあたっては、まず保護ブロック１１、１１が四方に並べられた。そして、並んだ保護ブロック１１、１１の、１ヶ所に集まる角部１２、１２において、四つの被連結部１４、１４に、連結具（図示せず）を通すようにして取り付け、これにより、保護ブロック１１、１１を互いに連結した。
【先行技術文献】
【非特許文献】
【０００３】
【非特許文献１】「特殊緑化工法シリーズ」大和クレス株式会社、ｐ．４−１１
【発明の概要】
【発明が解決しようとする課題】
【０００４】  ところで、前記従来の保護ブロック１１にあっては、被連結部１４、１４への連結具の取付け作業を、保護ブロック１１、１１の角部１２、１２が集まって形成される孔内で行わなければならず、その作業が困難であった。【０００５】  この発明は、上記した従来の欠点を解決するためになされたものであり、その目的とするところは、連結具の取付け作業を容易にし、保護ブロックの敷設を効率よく行うことができる、地面保護用の保護ブロックおよび地面保護構造を提供することにある。
【課題を解決するための手段】
【０００６】  この発明に係る地面保護用の保護ブロックおよび地面保護構造は、前記目的を達成するために、次の構成からなる。すなわち、
請求項１に記載の発明に係る地面保護用の保護ブロックは、保護されるべき地面に敷設されてその地面を保護する盤状の保護ブロックである。この保護ブロックは、ブロック本体と、そのブロック本体と隣接する他の保護ブロックのブロック本体とを連結具によって連結するための被連結部とを備える。ここで、前記被連結部は、前記ブロック本体の側面から、左右に並んで突出する二本の横延設部と、それら横延設部から折れ曲がって上向きに延設される二本の縦延設部と、それら縦延設部の上端を繋ぐ繋ぎ部とを有し、その被連結部の内側を前記連結具が挿通可能となる。【０００７】  この保護ブロックによると、ブロック本体には被連結部が設けられている。そして、隣接する保護ブロックは、被連結部に通される連結具によって、被連結部同士が連結され、これによって、ブロック本体、ひいては保護ブロックが互いに連結される。ここで、被連結部は、繋ぎ部に至る過程で、二本の横延設部から折れ曲がって上向きに延設される二本の縦延設部を備えており、これら縦延設部間に連結具を簡単に通すことができる。したがって、被連結部への連結具の取付け作業が容易となる。【０００８】  また、請求項２に記載の発明に係る地面保護用の保護ブロックは、請求項１に記載の保護ブロックにおいて、前記縦延設部が、前記側面から離れる側に傾くようにして、前記ブロック本体の底面に対して斜め上方に延設される。このように、縦延設部が、ブロック本体の側面から離れる側に傾くようにして斜め上方に延設されることで、ブロック本体側から連結具を縦延設部間に一層簡単に通すことができる。【０００９】  また、請求項３に記載の発明に係る地面保護用の保護ブロックは、請求項１または２に記載の保護ブロックにおいて、前記ブロック本体は、角部が面取りされた方形形状に形成されて、前記被連結部は、前記横延設部が前記角部の面取りされた側面から突出するようにして、前記角部の各々に設けられる。【００１０】  また、請求項４に記載の発明に係る地面保護構造は、請求項３に記載の保護ブロックが複数、保護されるべき地面に敷設される、地面保護構造である。この地面保護構造は、複数の前記保護ブロックが、その方形形状を形成する辺が向かい合うようにして四方に並び、１ヶ所に集まった四つの前記角部において、前記被連結部に通されて取り付けられる連結具によって、前記保護ブロックの各々が連結される。【００１１】  また、請求項５に記載の発明に係る地面保護構造は、請求項４に記載の地面保護構造において、前記連結具は、一対の互いに対向する対向片が一端側で繋がって形成された連結具本体と、その連結具本体の両先端部に架け渡される渡し部材とからなる。そして、１ヶ所に集まった四つの前記角部において、二対の隣合う被連結部の各々に、前記連結具本体の対向片のそれぞれが通され、前記連結具本体の先端部に前記渡し部材が渡されて、前記連結具が前記被連結部に取り付けられる。
【発明の効果】
【００１２】  この発明に係る地面保護用の保護ブロックおよび地面保護構造によれば、被連結部が上向きに延設される二本の縦延設部を備えており、これら縦延設部間に連結具を簡単に通すことができ、このため、連結具の取付け作業が容易となり、保護ブロックの敷設を効率よく行うことができる。
【図面の簡単な説明】
【００１３】
【図１】この発明の一実施の形態の、平面図である。
【図２】同じく、図１における要部拡大図である。
【図３】同じく、図２におけるＡ−Ａ線による断面図である。
【図４】同じく、保護ブロックの平面図である。
【図５】同じく、保護ブロックの正面図である。
【図６】同じく、図４におけるＢ矢視拡大図である。
【図７】同じく、図４におけるＣ−Ｃ線による拡大断面図である。
【図８】同じく、連結具の拡大平面図である。
【図９】同じく、連結具の拡大正面図である。
【図１０】この発明の他の実施の形態の、図７相当図である。
【図１１】この発明のさらに他の実施の形態の、図７相当図である。
【図１２】従来の保護ブロックを示す斜視図である。
【発明を実施するための形態】
【００１４】  以下、この発明に係る地面保護用の保護ブロックおよび地面保護構造を実施するための形態を図面に基づいて説明する。
【００１５】  図１〜図９は、本発明の一実施の形態を示す。図中符号１は、保護されるべき地面であって、法面とか平坦面とからなる。２は、前記地面１に敷設されてその地面１を保護する盤状の保護ブロックであって、例えば護岸に用いられる。
【００１６】  この保護ブロック２は、ブロック本体３と、そのブロック本体３と隣接する他の保護ブロック２のブロック本体３とを連結具５によって連結するための被連結部４とを備える。そして、被連結部４は、ブロック本体３の側面３ａから、左右に並んで突出する二本の横延設部４ａ、４ａと、それら横延設部４ａ、４ａから折れ曲がって上向きに延設される二本の縦延設部４ｂ、４ｂと、それら縦延設部４ｂ、４ｂの上端を繋ぐ繋ぎ部４ｃとを有して、折り返されるように形成され、その被連結部４の内側を前記連結具５が挿通可能となる。
【００１７】  具体的には、保護ブロック２においては、前記ブロック本体３は、例えばコンクリート製である。このブロック本体３は、角部３ｂが面取りされた方形形状（図示実施の形態においては、正方形形状）に形成されている（図４参照）。詳細には、ブロック本体３は、基板３０１と、その基板３０１の上面から突出して石を模した複数の凸部３０２、３０２とからなり、それら基板３０１と凸部３０２とが、例えばコンクリートによって一体に形成されている。また、基板３０１には、貫通孔３０３、３０３が明けられており、この貫通孔３０３を介して、基板３０１上に載せられる客土がブロック本体３下の土と一体化される。
【００１８】  前記被連結部４は、図４〜図７に示すように、一部がブロック本体３に埋設された、例えば鋼棒からなるアンカー４０１によって形成される。すなわち、アンカー４０１のうちのブロック本体３からの露出部分が、前記被連結部４となる。この被連結部４は、前記横延設部４ａ、４ａがブロック本体３（詳細には、基板３０１）における角部３ｂの面取りされた側面３ａから突出するようにして、角部３ｂの各々に設けられている。そして、前記縦延設部４ｂは、ブロック本体３（詳細には、基板３０１）の側面３ａ（図示実施の形態においては、角部３ｂの側面）から離れる側に傾くようにして、ブロック本体３の底面３ｃに対して斜め上方に延設されている。
【００１９】  また、前記連結具５は、図８および図９に示すように、一対の互いに対向する対向片６ａ、６ａが一端側で繋がって形成された連結具本体６と、その連結具本体６の両先端部６ｂ、６ｂに架け渡される渡し部材７とからなる。ここで、連結具本体６は、例えば鋼棒からなる。この連結具本体６は、前記対向片６ａ、６ａが、下に凸となるように湾曲して形成されている。そして、連結具本体６の先端部６ｂには、リング状に曲げられて形成された通孔６ｃが設けられている。一方、渡し部材７は、ボルト７ａおよびナット７ｂからなる。そこで、ボルト７ａが、連結具本体６の先端部６ｂ、６ｂに設けられた両通孔６ｃ、６ｃに挿入され、その通孔６ｃから突出するボルト７ａの先端部分にナット７ｂが締め込まれることにより、渡し部材７は、連結具本体６の両先端部６ｂ、６ｂに架け渡されて取り付けられる。
【００２０】  ところで、符号８は、前記保護ブロック２が複数、保護されるべき地面１に敷設される、地面保護構造である（図１参照）。ここにおいて、複数の前記保護ブロック２、２は、その方形形状（図示実施の形態においては、正方形形状）を形成する辺が向かい合うようにして四方に並び、１ヶ所に集まった四つの前記角部３ｂ、３ｂにおいて、被連結部４に通されて取り付けられる連結具５によって、保護ブロック２、２の各々が連結される（図２、図３参照）。詳細には、１ヶ所に集まった四つの角部３ｂ、３ｂにおいて、二対の隣合う被連結部４、４の各々に、連結具本体６の対向片６ａ、６ａのそれぞれが通され、連結具本体６の先端部６ｂ、６ｂに渡し部材７が渡されて、連結具本体６と渡し部材７とからなる連結具５が被連結部４、４に取り付けられる。
【００２１】  次に、以上の構成からなる保護ブロック２および地面保護構造８の作用効果について説明する。保護ブロック２におけるブロック本体３には連結のための被連結部４が設けられている。そして、隣接する保護ブロック２、２は、被連結部４、４に通される連結具５によって、被連結部４、４同士が連結され、これによって、ブロック本体３、３、ひいては保護ブロック２、２が互いに連結される。ここで、被連結部４は、先端の繋ぎ部４ｃに至る過程で、二本の横延設部４ａ、４ａから折れ曲がって上向きに延設される二本の縦延設部４ｂ、４ｂを備えており、これら縦延設部４ｂ、４ｂ間に連結具５を簡単に通すことができる。このため、被連結部４、４への連結具５の取付け作業が容易となり、保護ブロック２、２の敷設を効率よく行うことができる。
【００２２】  また、特に、被連結部４における縦延設部４ｂ、４ｂが、ブロック本体３の側面３ａから離れる側に傾くようにして斜め上方に延設されている。このため、ブロック本体３側から連結具５を縦延設部４ｂ、４ｂ間に一層簡単に通すことができる。
【００２３】  なお、本発明は、上述した実施の形態に限定されるわけではなく、その他種々の変更が可能である。例えば、保護ブロック２は、護岸に用いられる他に、山の法面等を保護するために用いられてもよい。
【００２４】  また、保護ブロック２の被連結部４における縦延設部４ｂ、４ｂは、ブロック本体３の側面３ａから離れる側に傾くようにして、ブロック本体３の底面３ｃに対して斜め上方に延設されるが、図１０に示すように、縦延設部４ｂ、４ｂは、ブロック本体３の底面３ｃに対して、上方に垂直に延設されてもよい。また、図１１に示すように、縦延設部４ｂ、４ｂは、ブロック本体３の側面３ａに近づく側に傾くようにして、ブロック本体３の底面３ｃに対して斜め上方に延設されてもよい。
【００２５】  また、ブロック本体３は、基板３０１上に、石を模した凸部３０２を備えるが、この凸部３０２は無くともよい。また、ブロック本体３は、正方形形状でなくとも、長方形形状等、その他の形状であってもよい。
【００２６】  また、被連結部４は、ブロック本体３の角部３ｂ、３ｂの各々に設けられなくとも、一部の角部３ｂ、３ｂに設けられてもよい。また、この被連結部４は、角部３ｂに設けられなくとも、角部３ｂ以外の、ブロック本体３の側面から突出するように設けられてもよい。
【符号の説明】
【００２７】  １  地面
２  保護ブロック
３  ブロック本体
３ａ  側面
３ｂ  角部
３ｃ  底面
４  被連結部
４ａ  横延設部
４ｂ  縦延設部
４ｃ  繋ぎ部
５  連結具
６  連結具本体
６ｂ  先端部
７  渡し部材
８  地面保護構造
【図１】
2010174610.tif 000003
【図２】
2010174610.tif 000004
【図３】
2010174610.tif 000005
【図４】
2010174610.tif 000006
【図５】
2010174610.tif 000007
【図６】
2010174610.tif 000008
【図７】
2010174610.tif 000009
【図８】
2010174610.tif 000010
【図９】
2010174610.tif 000011
【図１０】
2010174610.tif 000012
【図１１】
2010174610.tif 000013
【図１２】
2010174610.tif 000014